(57)【要約】【課題】    送風機は吹出し口より流れ出る風により、粉塵等の吹き飛ばし作業を行うため、吹出し口からの風量が大きいほど吹き飛ばしの作業効率が向上する。【解決手段】  気体が吸込まれる吸込み口に、ファンの回転軸方向に段違いのリブを設けることで達成される。【選択図】  図４
2006052675.tif 000002
【特許請求の範囲】
【請求項１】
吸込み口と吹出し口とを有するケーシングと、該ケーシング内に収納されたファンとを備え、該ファンの回転運動によって前記吸込み口から吸込まれた気体を前記吹出し口から吹出す送風機であって、前記吸込み口は複数の穴部を区画形成する第一リブを有すると共に、該穴部軸方向において前記第一リブとは異なる位置で、少なくとも１つの前記穴部の軸方向範囲内に位置する部分を有する第二リブを有することを特徴とした送風機。
【請求項２】
前記第二リブは前記第一リブに連結される連結部を有することを特徴とする請求項１記載の送風機。
【請求項３】
前記第二リブを筒型形状としたことを特徴とする請求項１又は請求項２記載の送風機。
【請求項４】
前記第二リブの外径寸法は前記吸込み口の内径寸法より小さいことを特徴とする請求項３記載の送風機。
【請求項５】
前記第二リブは前記穴部の半径方向ほぼ中央に位置することを特徴とした請求項３記載の送風機。
【発明の詳細な説明】
【技術分野】
【０００１】
本発明はモータ軸にファンを取り付け、該ファンを回転させることで発生される気体の流れにより、粉塵等の吹き飛ばし、集塵作業等を行う、携帯用ブロワ、集塵機等の送風機に関するものである。
【背景技術】
【０００２】
従来から、吸込み口及び吹出し口を有するケーシング内にファンを設け、羽根車の回転運動によって吸込み口から吸込まれた気体を吹出し口から吹出す送風機が知られている。この送風機は、落葉や木片等を吹き飛ばす吹出し作業、小さな木片等を集める吸込み作業に用いられる。（例えば特許文献１参照）
一般的には、吹出し作業に送風機を用いる場合、吹出し口にはノズルを取り付け、吸込み作業に送風機を用いる場合、吹出し口に付属品の集塵袋を取り付け、吸込み口にノズルもしくはホースを取り付ける。
【０００３】
吸込み口は、付属品のノズル等を着脱可能なようにケーシングの側面から筒状に突出して形成されており、吹出し口はファンの回転軸と直交する方向に位置している。
【０００４】
この吹出し口より流れ出る気体により、粉塵等の吹き飛ばし作業を行う
【特許文献１】特開２００２−３３９８９８
【発明の開示】
【発明が解決しようとする課題】
【０００５】
かかる送風機は吹出し口から流れ出る気体により、粉塵等の吹き飛ばし作業を行うため、吹出し口から流れ出る風量が大きいほど吹き飛ばしの作業効率が向上する。
【０００６】
風量を増加させる方法としては、ファン回転数を上昇させることが最も安易であるが、ファン回転数を上昇させると、ファン騒音が増加することや、遠心力が増加することでファンやケーシング等の破損を招いてしまうものであった。
【０００７】
ファン回転数を増加させずに風量を増加させる方法としては、吸込み口等を大きく設定することで可能であるが、吸込み口を大きくすると、大きな異物を吸込んでしまう、またケーシングの強度が低下してしまう等の問題点があった。
【０００８】
本発明の目的は、上記問題点を解決し、異物の混入を抑制し、かつ作業効率及び強度向上を図ることができる送風機を提供することである。
【課題を解決するための手段】
【０００９】
上記目的は吸込み口に設けられる第一リブにより区画される穴部軸方向において第一リブとは異なる位置に設けられ、少なくとも１つの前記穴部の軸方向範囲内に位置する部分を有する第二リブを設けることにより達成される。
【発明の効果】
【００１０】
本発明によれば、穴部の軸方向において複数の穴部を区画形成する第一リブと異なる位置で穴部の軸方向範囲内に位置する第二リブを有するため、異物の混入を抑制し、かつ作業効率及び強度向上を図ることができる。
【発明を実施するための最良の形態】
【００１１】
以下本発明送風機の一実施形態を図１〜図６を参照して説明する。なお、図１は本発明送風機の一実施形態を示す要部断面正面図であり、図２は図１に示す送風機の要部断面側面図である。
【００１２】
本発明送風機は、電動機８と電動機８を収納する本体１とを備える。この送風機は、電動工具の一種として用いられるもので、手持ち可能なように小型で軽量に構成している。
【００１３】
電動機８を収納する本体１は、吸込み口３及び吹出し口４を有するケーシング５と、ケーシング５内に収納され、電動機８の駆動軸７に結合されたファン６を備える。電動機８が回転するとファン６の回転運動による遠心力によって、吸込み口３から吸込まれた気体を吹出し口４から吹出す。
【００１４】
吸込み口３はファン６の軸線上におけるケーシング５の側面から筒状に突出するように形成されている。吸込み口３内には、複数の穴部３ａを区画形成する十字形状の第一リブ９ａが設けられており、等間隔に穴部３ａを形成することで、第一リブ９ａは吸込み口３を補強すると共に、大きな異物の混入を抑制している。
【００１５】
吸込み口３はファン６の回転軸上に延びるように形成されており、吹出し口４はファン６の回転軸に対して直交するようにケーシング５に形成されている。吹出し口４の先端側には、集塵袋あるいはノズル等の付属品が取り付けられる取付け部１３が形成される。
【００１６】
ケーシング５内に収納されるファン６は、遠心ファンで、吸い込んだ気体にファン６の径方向外向きに対して垂直外向きに気体を排出させるものであり、ファン６の回転によって、吸込み口３からケーシング５内に流入した気体は、略９０度向きを変え、ファン６の半径方向外側の吹出し口４向かってに流れる。
【００１７】
ファン６は、圧入、ボルト結合等の結合手段によって駆動軸７に結合されている。
【００１８】
この送風機は、吹出し作業又は吸込み作業を行うのに用いられる。図１は、吹出し作業を行うために、吹出し口４にノズル２０を取り付けた状態である。例えば小さな木片等を吹き飛ばす吹出し作業に用いる場合、送風機の吹出し口４にノズル２０が取り付けられ、ノズル２０の先端を小さな木片等の対象物に向け、ノズル２０から圧力を高めた気体を吹出す。
【００１９】
図５は、吸込み作業を行うために、吹出し口４に集塵袋２１を取り付けた送風機を示す。小さな木片等を集める吸い込み作業に用いる場合、送風機の吹出し口４にはの集塵袋２１が取り付けられ、吸込み口３にはノズル２０が取り付けられる。もしくは図６に示すように吸込み口３に柔軟なホース２２が取り付けられる。そして、ノズル２０もしくはホース２２の先端を小さな木片等の対象物に向け、対象物を吸い込み、集塵袋２１に集める。
【００２０】
送風機における気体の流れは、図２に示すように吸込み口３より流れ２３ａのように流れ込み、吸込み口３の穴部３ａを流れ２３ｂのように通過し、ファン６内部で流れ２３ｃのように略９０度向きを変え、吹出し口４から流れ２３ｄのように流れ出る．
図３は本発明送風機を構成する吸込み口の一実施形態を示す要部拡大断面図である。図３に示すように、吸込み口３に設けられた第一リブ９ａには、第一リブ９ａと一体形成された第二リブ９ｂｇｓ段違いにが連結されている。すなわち、吸込み口３に設けられた第一リブ９ａにより区画された穴部３ａの軸方向に第一リブ９ａとは異なる位置で、穴部３ａの範囲内に第二リブ９ｂが位置する構成となっている。第二リブ９ｂの外径寸法は、吸込み口３の内径寸法の約半分となっており、穴部３ａの半径方向のほぼ中央に第二リブ９ｂが位置している。第二リブ９ｂは第一リブ９ａと連結する連結部９ｃを有する。
【００２１】
第一リブ９ａによって区画形成される穴部３ａの断面積が大きくなるが、穴部３ａに対して軸方向にずらして第二リブ９ｂが設けられているので、ファン６、ケーシング５等の破損を招いてしまうような大きな異物の混入を防止することができ、更に、吹出し口４から吹出される気体の風量の増加を図ることができるものである。
【００２２】
図８は従来の送風機の吸込み口３付近の断面図で、吸込み口３付近の気体の流れを示す図である。ファン６により吸込まれた気体は第一リブ９ａに衝突し、第一リブ９ａ側面及び後方では気体の流速が遅くなるため、気体の流れ２３ｂが剥離して、剥離領域２４が生じる。剥離領域２４内においては乱流が生じ、流れ抵抗が増すため、図８のように気体の流れ２３ｂは剥離領域２４を迂回するように流れる。
【００２３】
図４に示すように本発明送風機では、第一リブ９ａにより区画形成される吸込み口の穴部３ａの断面積は比較的大きく、また、第二リブ９ｂは穴部３ａの軸方向にずらして設けているので、気体の流路の幅が最小となる部分つまり剥離領域２４間の距離２５が大きくなり、吸込み口３から吸引される気体の量が増加し、結果として排出量も増加する。
【００２４】
本発明送風機においては、第二リブ９ｂの形状を吸込み口３と同様筒型形状とし、段違いに設定された第二リブ９ｂは吸込み口周壁１０内部に収まっているため、図７のようにノズル２０が取り付けられた状態でも、吸込み口のリブ９の気体が流入してくる方向に高くなる箇所（本実施例の場合は第二リブ９ｂ）が吸込み口３の外周部でないためにノズル２０内部に収められている。このため、送風機の製品自体が大きくなることはない。これにより、図５、図６に示すように吸込み口にノズルやホースが取り付けられる場合においても段違いに突出したリブ部はノズルや、ホースの内部に収められるために、製品が大きくなることはない。
【００２５】
なお、上記実施形態では、第二リブ９ｂを第一リブ９ａよりもファン６反対側に設けた構成としたが、ファン６側に設けた構成としても良い。
【図面の簡単な説明】
【００２６】
【図１】本発明送風機の一実施形態を示す要部断面正面図。
【図２】図１に示す送風機の要部断面側面図。
【図３】本発明送風機を構成する吸込み口の一実施形態を示す要部拡大正面図。
【図４】気体の流れを説明する図３の要部拡大断面図。
【図５】本発明の他の使用状態を示す側面図。
【図６】本発明の他の使用状態を示す側面図。
【図７】図５の要部拡大断面図。
【図８】従来の送風機の吸込み口における気体の流れを説明する要部拡大図。
【符号の説明】
【００２７】
１は送風機本体、２はハンドル、３は吸込み口、３ａは穴部、４は吹き出し口、５はケーシング、６はファン、８は電動機、９は吸込み口リブ、９ａは第一リブ、９ｂは第二リブ、９ｃは連結部、１０は吸込み口周壁、１７はケーシング、２０はノズル、２１は集塵袋、２２はホース、２３は流れ、２４は剥離領域である。
【図１】
2006052675.tif 000003
【図２】
2006052675.tif 000004
【図３】
2006052675.tif 000005
【図４】
2006052675.tif 000006
【図５】
2006052675.tif 000007
【図６】
2006052675.tif 000008
【図７】
2006052675.tif 000009
【図８】
2006052675.tif 000010